(57)【要約】      （修正有）【課題】接合部位における水漏れを抑制できるポンプ着脱装置およびポンプシステムを提供する。【解決手段】ポンプ着脱装置３０は、設置面に固定して設置される着脱装置本体３２と、ポンプに固定されて着脱装置本体に装着可能に構成された着脱フランジ４０と、を備える。着脱装置本体は、被係止部３４と固定配管３３とを有する。着脱フランジは、当該着脱フランジが鉛直方向に移動することにより被係止部と係止する係止部４４と、ポンプの吐出口２２と固定配管とを接続するための接続配管４２とを有する。そして、接続配管には、当該接続配管の開口端から突出し、着脱フランジが着脱装置本体に装着されたときに固定配管内に入り込む、円筒状の樹脂で形成された封止用部材が設けられている。【選択図】図４
2017155600.tif 000002
【特許請求の範囲】
【請求項１】
設置面に固定して設置される着脱装置本体と、ポンプに固定されて前記着脱装置本体に装着可能に構成された着脱フランジと、を備えたポンプ着脱装置であって、
前記着脱装置本体は、被係止部と固定配管とを有し、
前記着脱フランジは、当該着脱フランジが鉛直方向に移動することにより前記被係止部と係止する係止部と、前記ポンプの吐出口と前記固定配管とを接続するための接続配管とを有し、
前記接続配管には、当該接続配管の開口端から突出し、前記着脱フランジが前記着脱装置本体に装着されたときに前記固定配管内に入り込む、円筒状の樹脂で形成された封止用部材が設けられていることを特徴とする、
ポンプ着脱装置。
【請求項２】
前記封止用部材の外周には径方向に突出する突出部が形成されている、
請求項１に記載のポンプ着脱装置。
【請求項３】
前記封止用部材は、一端が前記接続配管の内周面に固定され、他端が前記接続配管の端部から突出している、
請求項１又は２に記載のポンプ着脱装置。
【請求項４】
請求項１から３の何れか１項に記載のポンプ着脱装置と、
ポンプと、
を備え、
前記ポンプ及び前記着脱フランジが吊り具により吊り下げられたときには、前記接続配管の開口端が鉛直下方に向けて傾斜する、
ポンプシステム。
【請求項５】
前記ポンプ及び前記着脱フランジが吊り具により吊り下げられたときには、前記着脱フランジが前記着脱装置本体に装着されているときに対して前記着脱フランジおよび前記ポンプが５〜１０度傾斜する、
請求項４に記載のポンプシステム。
【発明の詳細な説明】
【技術分野】
【０００１】
本発明は、ポンプ着脱装置、及び、ポンプシステムに関する。
【背景技術】
【０００２】
ポンプを据え付けるために、ポンプ着脱装置が使用される場合がある。例えば、下水道に用いられる汚水用ポンプは、汚水によって詰まり等が生じやすいと共に設置場所に有毒ガスが発生する場合もあるため、作業員が容易にポンプの設置および交換が可能なようにポンプ着脱装置が使用される。従来、ポンプ着脱装置としては、予め設置場所に固定されて固定配管を支持する着脱装置本体と、ポンプに取り付けられて着脱装置本体に着脱自在に構成される着脱フランジと、を備えるものが知られている（例えば特許文献１参照）。この着脱装置では、着脱フランジに下方へ開口したフックが設けられ、着脱装置本体にフックと係合する係止棒が設けられている。そして、フックと係止棒とが係止するようにポンプ及び着脱フランジが鉛直下方に降ろされることで、着脱フランジが着脱装置本体に装着され、ポンプが設置場所に設置される。このときには、ポンプの自重によって着脱フランジと着脱装置本体との装着が維持される。ポンプを交換するときには、ポンプ及び着脱フランジを鉛直上方に吊り上げることで、着脱装置本体と着脱フランジとの装着が解除され、ポンプを容易に交換することができる。
【先行技術文献】
【特許文献】
【０００３】
【特許文献１】特開平１１−３０１９８号公報
【発明の概要】
【発明が解決しようとする課題】
【０００４】
ポンプ着脱装置では、上記したようにポンプの自重によって着脱フランジと着脱装置本体との装着が維持される。しかしながら、近年、技術の進歩によって軽量で揚程の大きいポンプが製造されている。こうしたポンプをポンプ着脱装置で設置すると、ポンプからの吐出により着脱フランジと着脱装置本体との合わせ面が開いて、水が漏れてしまうことがある。
【０００５】
本発明は、上述した事情に鑑みてなされたもので、接合部位における水漏れを抑制できるポンプ着脱装置およびポンプシステムを提供することを目的とする。
【課題を解決するための手段】
【０００６】
本発明のポンプ着脱装置は、設置面に固定して設置される着脱装置本体と、ポンプに固定されて着脱装置本体に装着可能に構成された着脱フランジと、を備える。着脱装置本体は、被係止部と固定配管とを有する。着脱フランジは、当該着脱フランジが鉛直方向に移動することにより被係止部と係止する係止部と、ポンプの吐出口と固定配管とを接続するための接続配管とを有する。そして、接続配管には、当該接続配管の開口端から突出し、着脱フランジが着脱装置本体に装着されたときに固定配管内に入り込む、円筒状の樹脂で形成された封止用部材が設けられている。
【０００７】
かかる構成により、本発明のポンプ着脱装置は、ポンプおよび着脱フランジを鉛直方向に移動させることによって着脱装置本体に対してポンプを着脱できる。そして、着脱フランジの接続配管には、着脱装置本体の固定配管内に入り込む円筒状の封止用部材が設けられている。このため、着脱装置本体と着脱フランジとが装着されたときには、固定配管と接続配管との接合部位に封止用部材が位置し、接合部位における水漏れを抑制できる。
【０００８】
また、封止用部材の外周には径方向に突出する突出部が形成されていてもよい。
こうすれば、突出部が固定配管の内周面に接触して、接合部位における水漏れをより抑制することができる。
【０００９】
また、封止用部材は、一端が接続配管の内周面に固定され、他端が接続配管の端部から突出していてもよい。
【００１０】
本発明のポンプシステムは、本発明のポンプ着脱装置と、ポンプと、を備える。そして、ポンプ及び着脱フランジが吊り具により吊り下げられたときには、接続配管の開口端が鉛直下方に向けて傾斜する。
かかる構成により、本発明のポンプシステムは、本発明のポンプ着脱装置を備えるため、本発明のポンプ着脱装置と同様の効果を奏することができる。そして、ポンプ及び着脱フランジが吊り具により吊り下げられたときには、接続配管の開口端が鉛直下方に向けて傾斜するので、着脱フランジを着脱装置本体に容易に装着することができる。
【００１１】
また、ポンプ及び着脱フランジが吊り具により吊り下げられたときには、着脱フランジが着脱装置本体に装着されているときに対して着脱フランジおよびポンプが５〜１０度傾斜してもよい。
【図面の簡単な説明】
【００１２】
【図１】本発明の一実施形態に係るポンプシステムを示す模式図である。
【図２】本実施形態の着脱フランジとポンプとを示す模式図である。
【図３】着脱フランジと着脱装置本体とが装着されたときの接合部位を拡大して示す断面図である。
【図４】ポンプ及び着脱フランジが吊り下げられているときのポンプシステムの一例を示す模式図である。
【発明を実施するための形態】
【００１３】
以下、本発明の一実施形態に係るポンプ着脱装置およびポンプシステムを図面に基づいて説明する。以下では、ポンプシステムの一例として、汚染用ポンプを備えるポンプシステムを説明するが、これには限られない。例えば、建物に給水するための給水ポンプに適用してもよいし、浄水施設に設置される浄水ポンプに適用してもよい。
【００１４】
図１は、本発明の一実施形態に係るポンプシステムを示す模式図である。図１に示すように、実施形態のポンプシステム１０は、水を移送するためのポンプ２０と、ポンプ２０を着脱自在に支持するための着脱装置３０と、を備えている。このポンプシステム１０は、本実施形態ではマンホールなどの下水中継ポンプ槽内に設置されるが、こうした例に限定されず、ポンプ２０の用途に応じた場所に設置されればよい。
【００１５】
ポンプ２０は、本実施形態では、水中ポンプとして構成されている。ポンプ２０は、鉛直下方に吸込口２１を有し、側方に吐出口２２を有する。ただし、こうした例に限定されず、吸込口２１および吐出口２２はポンプ２０の任意の場所に設けられればよい。ポンプ２０は、モータ２３からの動力によって内部の羽根車（不図示）を回転させ、吸込口２１から水を吸い込んで吐出口２２から水を吐出する。図１に示す例では、モータ２３は、鉛直方向に沿った回転軸を有し、ポンプ２０の上部に設けられるものとしたが、こうした例に限定されない。また、ポンプ２０の上部には、吊り具５６を取り付けるための取付部２４が設けられている。吊り具５６は例えばチェーンであり、ポンプ２０は吊り具５６により吊り下げられて鉛直方向に移動できる。
【００１６】
着脱装置３０は、設置面Ｍｓに固定して設置される着脱装置本体３２と、ポンプ２０に固定される着脱フランジ４０と、を備える。着脱装置本体３２は、ポンプ２０を設置したい場所に応じて、予め設置面Ｍｓにアンカーボルト止め等で固定される。着脱装置本体３２は、固定配管３３を有し、着脱装置本体３２が設置面Ｍｓに固定されることにより固定配管３３は下水中継ポンプ槽内に固定される。なお、着脱装置本体３２は、ポンプ２０の大きさなどに基づいて固定配管３３が所望の位置に固定されるように架台３６の高さなどが定められればよい。本実施形態では、固定配管３３は、エルボ配管５０に接続され、エルボ配管５０を介して図示しない排水管に接続される。
【００１７】
また、着脱装置本体３２には、着脱フランジ４０と係止するための被係止部３４が設けられている。本実施形態では、被係止部３４は、固定配管３３から鉛直上方に突出して形成されている。また、この被係止部３４の位置に対応させて、下水中継ポンプ槽には、鉛直方向に伸びるガイドレール５２が設けられている。ガイドレール５２は、例えばパイプであり、着脱装置本体３２と同様に下水中継ポンプ槽に予め固定される。
【００１８】
図２は、本実施形態の着脱フランジとポンプとを示す模式図である。なお、図２では、着脱フランジ４０の一部を縦断面で示している。図１及び図２に示すように、着脱フランジ４０は、ポンプ２０の吐出口２２に接続される接続配管４２を有する。本実施形態では、着脱フランジ４０は、ポンプ２０の吐出口２２と接続配管４２とがボルト止めされることによってポンプ２０に固定される。なお、ポンプ２０の吐出口２２と接続配管４２との合わせ面はＯリングなどで封止されてもよい。
【００１９】
着脱フランジ４０には、着脱装置本体３２の被係止部３４と係止するための係止部４４が設けられている。図２に示すように、係止部４４は、鉛直下方に開口したフック状になっており、被係止部３４に対して係止部４４が鉛直上方から掛かることにより、係止部４４と被係止部３４とが係止する。このときには、着脱フランジ４０の接続配管４２と着脱装置本体３２の固定配管３３とが位置合わせされ、接続配管４２と固定配管３３とが接続される。また、このときには、接続配管４２と固定配管３３との合わせ面（接合部位）に、被係止部３４を支軸としたポンプ２０の自重による力が作用する。こうした構成によって、ポンプ２０及び着脱フランジ４０を着脱装置本体３２に対して鉛直上方から降ろすことにより、着脱フランジ４０を着脱装置本体３２に装着させてポンプ２０を設置することができる。
【００２０】
また、着脱フランジ４０には、係止部４４の先端に、ガイドレール５２が挿通する孔部４７が形成されたガイド体４６が設けられている。ガイド体４６は、孔部４７にガイドレール５２が挿通されることにより、着脱フランジ４０及びポンプ２０の鉛直方向に移動をガイドする。こうしたガイドレール５２及びガイド体４６により、着脱フランジ４０と着脱装置本体３２との装着をより容易にすることができる。なお、ガイド体４６は、ガイドレール５２に案内されて着脱フランジ４０及びポンプ２０の鉛直方向の移動をガイドするものであればよく、例えば孔部４７に代えてガイドレール５２の形状に対応した凹部などが形成されるものでもよい。
【００２１】
さらに、着脱フランジ４０の接続配管４２には、ポンプ２０の吐出口２２とは反対側の端部から突出する封止用部材４８が設けられている。封止用部材４８は、円筒状の弾性体であり、例えばゴムなどの樹脂で形成される。本実施形態では、封止用部材４８は、図２に示すように、一端が接続配管４２の内周面に固定され、他端が接続配管４２の端部から突出している。そして、封止用部材４８は、着脱フランジ４０と着脱装置本体３２とが装着されたときに固定配管３３の内側に入り込む（図１中、破線で示す封止用部材４８参照）。なお、本実施形態では、接続配管４２に１つの封止用部材４８が設けられるものとしたが、複数の封止用部材４８が設けられてもよい。
【００２２】
図３は、着脱フランジと着脱装置本体とが装着されたときの接合部位を拡大して示す断面図である。図示するように、着脱フランジ４０と着脱装置本体３２とが装着されたときには、封止用部材４８は固定配管３３の内側に入り込んで、固定配管３３と接続配管４２との接合部位に位置する。このため、ポンプ２０から高い圧力で水が吐出された場合にも、固定配管３３と接続配管４２との接合部位から水が漏れるのを抑制できる。また、図示するように、本実施形態の封止用部材４８の外周には、径方向に突出する突出部４９が設けられている。このように突出部４９が設けられることにより、ポンプ２０から水が吐出されたときには、水の圧力によって突出部４９が固定配管３３の内周面に押し付けられ、水漏れをより防止することができる。ただし、図３に示す例に限定されず、封止用部材４８には突出部４９が設けられなくてもよい。また、封止用部材４８の外周面には、径方向に突出する複数の突出部が設けられてもよい。
【００２３】
図４は、ポンプ及び着脱フランジが吊り下げられているときのポンプシステムの一例を示す模式図である。図示するように、本実施形態では、吊り具５６によってポンプ２０及び着脱フランジ４０が吊り下げられているときには、ポンプ２０及び着脱フランジ４０は吐出口２２及び接続配管４２の開口端が鉛直下方に向けて傾斜する。具体的には、ポンプ２０及び着脱フランジ４０は、設置時の姿勢（図１，２参照）に対して５度〜１０度傾斜する（図４中、θ＝５度〜１０度）。吊り具５６による吊り下げ時のポンプ２０及び着脱フランジ４０の姿勢は、例えば吊り具５６のための取付部２４がポンプ２０及び着脱フランジ４０の重心よりも吐出口２２から離れた位置に設けられるなど、取付部２４を設ける位置にて調整することができる。なお、ポンプ２０及び着脱フランジ４０が傾斜して吊り下げられる場合には、ガイドレール５２とガイド体４６とが干渉しないように孔部４７が余裕をもった大きさに形成されることが好ましい。このように、ポンプ２０及び着脱フランジ４０が傾斜していることにより、封止用部材４８の下端が固定配管３３から遠ざかり、着脱フランジ４０を着脱装置本体３２に向けて降ろしたときに封止用部材４８と固定配管３３とが干渉することを抑制できる。図４に示す例では、ポンプ２０及び着脱フランジ４０が吊り下げられているときに、固定配管３３の鉛直上方に、封止用部材４８が位置しないように構成されている。ただし、こうした例に限定されず、ポンプ２０及び着脱フランジ４０が吊り下げられているときに、封止用部材４８の下端は固定配管３３の鉛直上方に位置しないとともに、封止用部材４８の上端は固定配管３３の鉛直上方に位置するように構成されてもよい。この場合であっても、封止用部材４８は弾性体であり、ある程度変形するため、着脱フランジ４０と着脱装置本体３２との装着を容易に行うことができる。
【００２４】
以上説明した実施形態のポンプシステム１０及び着脱装置３０によれば、着脱フランジ４０の接続配管４２に、接続配管４２の開口端から突出して固定配管３３の内部に入り込む封止用部材４８が設けられている。このため、着脱装置本体３２と着脱フランジ４０とが装着されたときには、固定配管３３と接続配管４２との接合部位に封止用部材４８が位置し、接合部位における水漏れを抑制できる。しかも、ポンプ２０及び着脱フランジ４０が吊り具５６により吊り下げられたときに、接続配管４２の開口端が鉛直下方に向けて傾斜するので、着脱フランジ４０を着脱装置本体３２に容易に装着することができる。
【００２５】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、実施形態および変形例の任意の組み合わせが可能であり、特許請求の範囲および明細書に記載された各構成要素の任意の組み合わせ、または、省略が可能である。
【符号の説明】
【００２６】
Ｍｓ…設置面
１０…ポンプシステム
２０…ポンプ
２１…吸込口
２２…吐出口
２３…モータ
２４…取付部
３０…着脱装置
３２…着脱装置本体
３３…固定配管
３４…被係止部
３６…架台
４０…着脱フランジ
４２…接続配管
４４…係止部
４６…ガイド体
４７…孔部
４８…封止用部材
４９…突出部
５０…エルボ配管
５２…ガイドレール
５６…吊り具
【図１】
2017155600.tif 000003
【図２】
2017155600.tif 000004
【図３】
2017155600.tif 000005
【図４】
2017155600.tif 000006